(57)【要約】      （修正有）【課題】被検体を透過したコーン状Ｘ線ビームを検出する際のＦＰＤの出力応答速度が遅いのを補う。【解決手段】Ｘ線検出データ収集用走査の際のコーン状Ｘ線ビームＸＡの移動経路に沿った方向に対するビーム幅ＸＬをＦＰＤ２のＸ線検出面Ｘａの幅ＸＤより短くしてコーン状Ｘ線ビームＸＡにビーム短手方向ＲＸを付け、更にデータ収集用走査と同期してＸ線検出面Ｘａに対しコーン状Ｘ線ビームＸＡがビーム短手方向ＲＸへ向けて相対的にスライドさせられる構成を備え、ＦＰＤ２のＸ線検出面ＸａにおけるＸ線ビームの検出エリアがＸ線検出データ収集用走査の進行に連れて刻々変化するので、ＦＰＤ２から読み出し切れないＸ線検出データの読み出し残分の蓄積が抑えられる。その結果、ＦＰＤ２の出力応答速度が遅いことに因るＦＰＤの残像は弱められ、ＦＰＤの出力応答速度が遅いのを補うことができる。【選択図】    図２
2006212173.tif 000002
【特許請求の範囲】
【請求項１】
被検体にコーン状Ｘ線ビームを照射するＸ線照射手段と、被検体を挟んで対向配置され、被検体を透過したコーン状Ｘ線ビームを検出してＸ線断層画像取得用のＸ線検出データを出力する２次元Ｘ線検出手段と、Ｘ線照射手段と２次元Ｘ線検出手段とを対向配置状態のままで被検体を間にして移動させてＸ線検出データ収集用走査を行なうＸ線撮像系走査手段を備え、Ｘ線照射手段と２次元Ｘ線検出手段が、Ｘ線撮像系走査手段によるＸ線検出データ収集用走査により同期移動しながら、コーン状Ｘ線ビームの照射とＸ線検出データの出力を行なうＸ線撮影装置において、Ｘ線検出データ収集用走査の際のコーン状Ｘ線ビームの移動経路に沿った方向に対するコーン状Ｘ線ビームのビーム幅を２次元Ｘ線検出手段のＸ線検出面の幅よりも短くしてコーン状Ｘ線ビームにビーム短手方向をもたせるＸ線ビーム幅制限手段と、Ｘ線検出データ収集用走査と同期してＸ線検出面に対しコーン状Ｘ線ビームをビーム短手方向に相対的にスライドさせるＸ線ビーム同期スライド手段を備えていることを特徴とするＸ線撮影装置。
【請求項２】
請求項１に記載のＸ線撮影装置において、Ｘ線ビーム同期スライド手段は２次元Ｘ線検出器をＸ線検出データ収集用走査と同期してコーン状Ｘ線ビームのビーム短手方向に移動させることによりＸ線検出面に対しコーン状Ｘ線ビームをビーム短手方向に相対的にスライドさせるＸ線撮影装置。
【請求項３】
請求項１に記載のＸ線撮影装置において、Ｘ線ビーム同期スライド手段はＸ線ビーム幅制限手段をＸ線検出データ収集用走査と同期してコーン状Ｘ線ビームのビーム短手方向に移動させることによりＸ線検出面に対しコーン状Ｘ線ビームをビーム短手方向に相対的にスライドさせるＸ線撮影装置。
【請求項４】
請求項１から３のいずれかに記載のＸ線撮影装置において、Ｘ線ビーム幅制限手段はコーン状Ｘ線ビームのビーム短手方向のビーム幅を２次元Ｘ線検出手段のＸ線検出面の幅の１／２以下〜１／４以上の範囲で短くすると共に、Ｘ線ビーム同期スライド手段はＸ線検出データ収集用走査に伴ってコーン状Ｘ線ビームをＸ線検出面の一端縁から他端縁にわたってスライドさせるＸ線撮影装置。
【請求項５】
請求項１から４のいずれかに記載のＸ線撮影装置において、Ｘ線撮像系走査手段は、Ｘ線検出データ収集用走査の際にＸ線照射手段と２次元Ｘ線検出手段をＸ線照射手段と２次元Ｘ線検出手段が被検体の周りを１８０°以上の角度にわたって巡る周回型軌道に沿って移動させるＸ線撮影装置。
【発明の詳細な説明】
【技術分野】
【０００１】
この発明は、被検体にコーン状Ｘ線ビームを照射するＸ線照射手段と、被検体を挟んで対向配置され、被検体を透過したコーン状Ｘ線ビームを検出してＸ線断層画像取得用のＸ線検出データを出力する２次元Ｘ線検出手段が、Ｘ線撮像系走査手段によるＸ線検出データ収集用走査に伴って移動しながら、コーン状Ｘ線ビームの照射とＸ線検出データの出力を行なうＸ線撮影装置に係り、特に撮影対象の被検体を透過したコーン状Ｘ線ビームを検出する際の２次元Ｘ線検出手段の出力応答速度が遅いのを補うための技術に関する。
【背景技術】
【０００２】
被検体のＸ線断層画像を撮影できるＸ線撮影装置のひとつとして、既に病院等で使われているＸ線ＣＴ装置がある。従来のＸ線ＣＴ装置の場合、図１０に示すように、Ｘ線管６１ＡとＸ線絞り６１Ｂを具備して天板ＢＤの上の被検体Ｍにコーン状Ｘ線ビームＸＢを照射するＸ線照射部６１と、被検体Ｍを天板ＢＤごと挟んでＸ線照射部６１に対向配置され、被検体Ｍを透過したコーン状Ｘ線ビームＸＢを検出してＸ線ＣＴ画像（Ｘ線断層画像）取得用のＸ線検出データを出力するフラットパネル型Ｘ線検出器（２次元Ｘ線検出器）６２とを備え、Ｘ線照射部６１とフラットパネル型Ｘ線検出器（以下、適宜「ＦＰＤ」と略記）６２とを対向配置状態のままで被検体Ｍを間にして被検体Ｍの周りを１８０°以上の角度にわたって巡る周回型軌道に沿って移動させるＸ線検出データ収集用走査が行なわれる構成とされている。
【０００３】
従来のＸ線ＣＴ装置によるＸ線撮影の際は、Ｘ線検出データ収集用走査が行なわれるのに伴ってＸ線照射部６１とＦＰＤ６２が対向配置状態を維持したままで、例えば、図１０（ａ）〜（ｃ）に示すように、被検体Ｍの周りを１８０°にわたって巡りながら、コーン状Ｘ線ビームＸＢの照射とＸ線ＣＴ画像取得用のＸ線検出データの出力を行なう。
ＦＰＤ６２の後段では、ＦＰＤ６２から出力されるＸ線検出データが収集されると共に、収集されたＸ線検出データを再構成用アルゴリズムにしたがってコンピュータ演算方式で再構成処理して、被検体Ｍに仮想的に設定される３次元格子点マトリックスについてＸ線ＣＴ画像の画素信号用としてＣＴ画像データが求められる。
そして、３次元格子点マトリックスについて求められたＣＴ画像データにしたがって、撮影対象である被検体Ｍの断面についてのＸ線ＣＴ画像が取得される。
【０００４】
こうして取得されたＸ線ＣＴ画像は、画像表示モニタ（図示省略）の画面に表示されたり、プリンタ（図示省略）で印刷されたりして、オペレータや医師の診断に供される（例えば特許文献１を参照。）。
従来のＸ線ＣＴ装置の場合、多数本のファン状Ｘ線ビームを束ねたものと等価なコーン状Ｘ線ビームＸＢを照射するので、一度のＸ線検出データ収集用走査で多数の被検体Ｍの断面（スライス面）についてのＸ線検出データを収集することができる。
【０００５】
また、コーン状Ｘ線ビームＸＢを照射する被検体ＭのＸ線断層画像を撮影するＸ線撮影装置として、Ｘ線検出データ収集用走査の際にＸ線管とＦＰＤがそれぞれ被検体Ｍの一側と他側に設定されている非周回型軌道に沿って移動しながらコーン状Ｘ線ビームの照射とＸ線断層画像取得用のＸ線検出データの出力を行い、ＦＰＤの後段でＸ線検出データを画素毎に積分処理等することによりＸ線断層画像を取得する装置もある（例えば特許文献２を参照。）。
このＸ線撮影装置の場合、Ｘ線管およびＦＰＤを被検体の周りを１８０°以上にわたって移動させずにＸ線検出データ収集用走査が行なえる。
【０００６】
【特許文献１】特開平９−２９８６８７号公報（第５〜６頁，図１〜図３）
【特許文献２】特開平２０００−７９１１９号公報（第４頁，図５〜図８）
【発明の開示】
【発明が解決しようとする課題】
【０００７】
しかしながら、上記従来のＸ線撮影装置は、コーン状Ｘ線ビームＸＢを検出するＦＰＤ６２の出力応答速度が遅いという問題がある。具体的には、従来装置の場合、ＦＰＤ６２からＸ線断層画像取得用のＸ線検出データを所定時間毎に繰り返し読み出しては収集するのであるが、高速度（速い速度レート）でＸ線検出データを収集する時は、ＦＰＤ６２の出力応答速度が遅い（タイムラグが大きい）為に読み出し切れないＸ線検出データの読み出し残分が次々と蓄積されてＦＰＤ６２に残像（焼き付け）となって現れる。ＦＰＤ６２の残像は、最終的に取得されるＸ線断層画像に、画質低下の原因であるアーティファクト（偽像）を生じる等の不都合を招来する。
【０００８】
この発明は、このような事情に鑑みてなされたものであって、撮影対象の被検体を透過したコーン状Ｘ線ビームを検出する際の２次元Ｘ線検出手段の出力応答速度が遅いのを補うことができるＸ線撮影装置を提供することを目的とする。
【課題を解決するための手段】
【０００９】
この発明は、このような目的を達成するために、次のような構成をとる。
すなわち、請求項１に記載の発明に係るＸ線撮影装置は、被検体にコーン状Ｘ線ビームを照射するＸ線照射手段と、被検体を挟んで対向配置され、被検体を透過したコーン状Ｘ線ビームを検出してＸ線断層画像取得用のＸ線検出データを出力する２次元Ｘ線検出手段と、Ｘ線照射手段と２次元Ｘ線検出手段とを対向配置状態のままで被検体を間にして移動させてＸ線検出データ収集用走査を行なうＸ線撮像系走査手段を備え、Ｘ線照射手段と２次元Ｘ線検出手段が、Ｘ線撮像系走査手段によるＸ線検出データ収集用走査により同期移動しながら、コーン状Ｘ線ビームの照射とＸ線検出データの出力を行なうＸ線撮影装置において、Ｘ線検出データ収集用走査の際のコーン状Ｘ線ビームの移動経路に沿った方向に対するコーン状Ｘ線ビームのビーム幅を２次元Ｘ線検出手段のＸ線検出面の幅よりも短くしてコーン状Ｘ線ビームにビーム短手方向をもたせるＸ線ビーム幅制限手段と、Ｘ線検出データ収集用走査と同期してＸ線検出面に対しコーン状Ｘ線ビームをビーム短手方向に相対的にスライドさせるＸ線ビーム同期スライド手段を備えていることを特徴とするものである。
【００１０】
［作用・効果］請求項１の発明のＸ線撮影装置によるＸ線撮影の際は、Ｘ線撮像系走査手段によって、被検体にコーン状Ｘ線ビームを照射するＸ線照射手段と、被検体を透過したコーン状Ｘ線ビームを検出してＸ線断層画像取得用のＸ線検出データを出力する２次元Ｘ線検出手段とを対向配置状態のままで被検体を間にして移動させてＸ線検出データ収集用走査が行なわれる。Ｘ線照射手段と２次元Ｘ線検出手段は、Ｘ線撮像系走査手段によるＸ線検出データ収集用走査により同期移動しながら、コーン状Ｘ線ビームの照射とＸ線検出データの出力を行なう。
【００１１】
そして、請求項１の発明のＸ線撮影装置の場合、Ｘ線ビーム幅制限手段によって、Ｘ線検出データ収集用走査の際のコーン状Ｘ線ビームの移動経路に沿った方向に対するコーン状Ｘ線ビームのビーム幅を２次元Ｘ線検出手段のＸ線検出面の幅よりも短くしてコーン状Ｘ線ビームにビーム短手方向をもたせてあるのに加え、Ｘ線ビーム同期スライド手段によって、Ｘ線検出データ収集用走査と同期してＸ線検出面に対しコーン状Ｘ線ビームがビーム短手方向へ向けて相対的にスライドさせられる。
その結果、２次元Ｘ線検出手段のＸ線検出面におけるＸ線ビームの検出エリアがＸ線検出データ収集用走査の進行に連れて刻々変化するので、２次元Ｘ線検出手段から読み出し切れずに生じるＸ線検出データの読み出し残分の蓄積が抑えられ、撮影対象の被検体を透過したコーン状Ｘ線ビームを検出する際の２次元Ｘ線検出手段の出力応答速度が遅いことに起因して２次元Ｘ線検出手段に生じる残像の程度は従来より弱められる。
【００１２】
また、コーン状Ｘ線ビームのビーム幅はＸ線検出データ収集用走査に伴うコーン状Ｘ線ビームの移動経路に沿った方向に対してだけ短くすれば済むので、コーン状Ｘ線ビームの移動経路に沿わない方向に対しては短くする必要はなく、Ｘ線検出データ収集用走査による走査エリアが狭くなるようなことはない。
よって、請求項１の発明のＸ線撮影装置によれば、撮影対象の被検体を透過したコーン状Ｘ線ビームを検出する際の２次元Ｘ線検出手段の出力応答速度が遅いのを補うことができる。
【００１３】
請求項２の発明のＸ線撮影装置は、請求項１に記載のＸ線撮影装置において、Ｘ線ビーム同期スライド手段は２次元Ｘ線検出器をＸ線検出データ収集用走査と同期してコーン状Ｘ線ビームのビーム短手方向に移動させることによりＸ線検出面に対しコーン状Ｘ線ビームをビーム短手方向に相対的にスライドさせるものである。
【００１４】
［作用・効果］請求項２の発明の装置の場合、２次元Ｘ線検出器の方を移動させることによってＸ線検出面に対しコーン状Ｘ線ビームをビーム短手方向に相対的にスライドさせる。その結果、Ｘ線検出データ収集用走査中にＸ線照射光学系が同じ構成を保てるので、Ｘ線照射光学系の変動を伴わずにＸ線断層画像取得用のＸ線検出データが収集できる。
【００１５】
請求項３の発明のＸ線撮影装置は、請求項１に記載のＸ線撮影装置において、Ｘ線ビーム同期スライド手段はＸ線ビーム幅制限手段をＸ線検出データ収集用走査と同期してコーン状Ｘ線ビームのビーム短手方向に移動させることによりＸ線検出面に対しコーン状Ｘ線ビームをビーム短手方向に相対的にスライドさせるものである。
【００１６】
［作用・効果］請求項３の発明の装置の場合、２次元Ｘ線検出器より小型軽量であるＸ線ビーム幅制限手段の方を移動させることによりＸ線検出面に対しコーン状Ｘ線ビームをビーム短手方向に相対的にスライドさせるので、Ｘ線検出面に対するコーン状Ｘ線ビームの相対的なスライドが容易に行なえる。
【００１７】
請求項４の発明のＸ線撮影装置は、請求項１から３のいずれかに記載のＸ線撮影装置において、Ｘ線ビーム幅制限手段はコーン状Ｘ線ビームのビーム短手方向のビーム幅を２次元Ｘ線検出手段のＸ線検出面の幅の１／２以下〜１／４以上の範囲で短くすると共に、Ｘ線ビーム同期スライド手段はＸ線検出データ収集用走査に伴ってコーン状Ｘ線ビームをＸ線検出面の一端縁から他端縁にわたってスライドさせるものである。
【００１８】
［作用・効果］請求項４の発明の装置の場合、コーン状Ｘ線ビームの移動経路に沿ったビーム短手方向についてはコーン状Ｘ線ビームのビーム幅が２次元Ｘ線検出手段のＸ線検出面の幅の１／２以下〜１／４以上の範囲であり、Ｘ線検出データ収集用走査に伴ってコーン状Ｘ線ビームをＸ線検出面の一端縁から他端縁にわたってスライドさせるので、Ｘ線検出データ収集用走査中にコーン状Ｘ線ビームが常時照射されているエリアが無く、その結果、Ｘ線検出面全域にわたってＸ線検出データの読み出し残分の蓄積が抑えられる。
なお、コーン状Ｘ線ビームのビーム幅をＸ線検出面の幅の１／２以下とするのは、ビーム幅がＸ線検出面の幅の１／２を超過すると、Ｘ線検出データ収集用走査中にコーン状Ｘ線ビームが常時照射されているエリアを完全に無くせないからである。また、コーン状Ｘ線ビームのビーム幅をＸ線検出面の幅の１／４以上とするのは、ビーム幅がＸ線検出面の幅の１／４未満だと、一度のＸ線検出データ収集用走査で多量のＸ線検出データが収集できるコーン状Ｘ線ビームのメリットが十分でなくなるからである。
【００１９】
請求項５の発明のＸ線撮影装置は、請求項１から４のいずれかに記載のＸ線撮影装置において、Ｘ線撮像系走査手段は、Ｘ線検出データ収集用走査の際にＸ線照射手段と２次元Ｘ線検出手段をＸ線照射手段と２次元Ｘ線検出手段が被検体の周りを１８０°以上の角度にわたって巡る周回型軌道に沿って移動させるものである。
【００２０】
［作用・効果］請求項５の発明の装置の場合、Ｘ線検出データ収集用走査に伴ってＸ線照射手段と２次元Ｘ線検出手段が被検体の周りを１８０°以上にわたって巡りながらコーン状Ｘ線ビームの照射とＸ線検出データの出力を行なうので、Ｘ線断層画像取得用のＸ線検出データを十分に収集できる。
【発明の効果】
【００２１】
請求項１の発明のＸ線撮影装置の場合、Ｘ線検出データ収集用走査の際のコーン状Ｘ線ビームの移動経路に沿った方向に対するコーン状Ｘ線ビームのビーム幅を２次元Ｘ線検出手段のＸ線検出面の幅よりも短くしてコーン状Ｘ線ビームにビーム短手方向をもたせてあるのに加え、Ｘ線検出データ収集用走査と同期してＸ線検出面に対しコーン状Ｘ線ビームがビーム短手方向へ向けて相対的にスライドさせられる構成を備えている。その結果、２次元Ｘ線検出手段のＸ線検出面におけるＸ線ビームの検出エリアがＸ線検出データ収集用走査の進行に連れて刻々変化するので、２次元Ｘ線検出手段から読み出し切れずに生じるＸ線検出データの読み出し残分の蓄積が抑えられ、撮影対象の被検体を透過したコーン状Ｘ線ビームを検出する際に２次元Ｘ線検出手段の出力応答速度が遅いことに起因して２次元Ｘ線検出手段に生じる残像は従来よりも弱められる。
【００２２】
また、コーン状Ｘ線ビームのビーム幅はＸ線検出データ収集用走査に伴うコーン状Ｘ線ビームの移動経路に沿った方向に対してだけ短くすれば済むので、コーン状Ｘ線ビームの移動経路に沿わない方向に対しては短くする必要はなく、Ｘ線検出データ収集用走査による走査エリアが狭くなるようなことはない。
よって、請求項１の発明のＸ線撮影装置によれば、撮影対象の被検体を透過したコーン状Ｘ線ビームを検出する際の２次元Ｘ線検出手段の出力応答速度が遅いのを補うことができる。
【実施例１】
【００２３】
この発明のＸ線撮影装置の実施例１を図面を参照して説明する。図１は実施例１に係るＸ線撮影装置の全体構成を示すブロック図である。
実施例１のＸ線透視撮影装置は、図１に示すように、Ｘ線管１ＡとＸ線絞り１Ｂを具備して天板ＢＤの上の被検体Ｍにコーン状Ｘ線ビームＸＡを照射するＸ線照射部１と、被検体Ｍを天板ＢＤごと挟んでＸ線照射部１に対向配置され、被検体Ｍを透過したコーン状Ｘ線ビームＸＡを検出してＸ線ＣＴ画像（Ｘ線断層画像）取得用のＸ線検出データを出力する２次元Ｘ線検出器であるフラットパネル型Ｘ線検出器（以下、適宜「ＦＰＤ」と略記）２とよりなるＸ線撮像系を備え、Ｘ線検出データ収集用走査が行なわれるのに伴ってＸ線管１とＦＰＤ２を対向配置状態のままで被検体を間にして被検体Ｍの周りを１８０°以上（例えば１８０°あるいは３６０°）の角度にわたって巡る周回型軌道に沿って移動させられる構成とされている。
【００２４】
このように実施例１の装置は、Ｘ線検出データ収集用走査に伴ってＸ線照射部１とＦＰＤ２が被検体Ｍの周りを１８０°以上にわたって巡りながらコーン状Ｘ線ビームＸＡの照射とＸ線検出データの出力を行なうので、Ｘ線断層画像取得用のＸ線検出データを十分に収集できる。
なお、以下では、説明の便宜上、Ｘ線検出データ収集用走査の際にＸ線照射部１とＦＰＤ２が被検体Ｍの周りを１８０°の角度で巡る場合について述べることとする。
【００２５】
実施例１の装置の場合、Ｘ線照射部１とＦＰＤ２は被検体Ｍが天板ＢＤごと内側に入り込める内径を有する回転リング３に対向設置されている。Ｘ線検出データ収集用走査の際は、撮像系走査制御部５のコントロールに従ってリング回動機構部４が回転リング３を矢印ＲＡで示す回転リング３の円周方向に回転させる。そして、回転リング３の回転に伴ってＸ線照射部１とＦＰＤ２が被検体Ｍの周りを巡りながら、Ｘ線照射部１がＸ線照射制御部６のコントロールに従ってコーン状Ｘ線ビームＸＡを照射すると共に、ＦＰＤ２が被検体Ｍを透過したコーン状Ｘ線ビームＸＡを検出してＸ線ＣＴ画像取得用のＸ線検出データを出力する。つまり、実施例１の装置では、リング回動機構部４と撮像系走査制御部５が、Ｘ線検出データ収集用走査を行なうＸ線撮像系走査手段として配備されている。
【００２６】
ＦＰＤ２の後段には、Ｘ線検出データ収集用走査に伴って収集されるＸ線検出データを記憶する検出データメモリ７と、検出データメモリ７に収集記憶されたＸ線検出データを再構成用アルゴリズムに従いコンピュータ処理演算方式で再構成処理して被検体Ｍに仮想的に設定される３次元格子点マトリックスについてＸ線ＣＴ画像の画素信号用としてのＣＴ画像データを求める再構成処理部８と、再構成処理部８で求められたＣＴ画像データを被検体Ｍに仮想的に設定される３次元格子点マトリックスと対応付けて記憶する画像データメモリ９が配備されている。
【００２７】
加えて、実施例１の装置では、ＣＴ画像データにしたがってＸ線ＣＴ画像を取得するＣＴ画像取得部１０およびＸ線ＣＴ画像を記憶する画像メモリ１１やＸ線ＣＴ画像などを表示する表示用モニタ１２の他、Ｘ線撮影の実行に必要な指令やデータの入力を行なう操作部１３が配備されている。そして、オペレータ等が表示用モニタ１２の画面上で操作部１３を使って入力する等して指定した画像取得位置のＸ線ＣＴ画像を、ＣＴ画像取得部１０が画像データメモリ９に記憶されているＣＴ画像データにしたがって取得すると共に、ＣＴ画像取得部１０により取得されたＸ線ＣＴ画像が、必要に応じて画像メモリ１１により記憶されたり、さらには表示用モニタ１２の画面に映し出されて表示されたりする。
【００２８】
そして、実施例１の装置の場合、図２や図３にも示すように、Ｘ線絞り１Ｂは、Ｘ線検出データ収集用走査の際のコーン状Ｘ線ビームＸＡの移動経路に沿った方向に対するコーン状Ｘ線ビームＸＡのビーム幅ＸＬをＦＰＤ２のＸ線検出面Ｘａの幅ＸＤよりも短くしてコーン状Ｘ線ビームＸＡに（図２に矢印図示するように）ビーム短手方向ＲＸをもたせるＸ線ビーム幅制限手段を兼ねている。なお、コーン状Ｘ線ビームＸＡのビーム長手方向ＲＹのビーム幅ＹＬは特に短くすることはなくてＸ線検出面Ｘａの幅ＹＤと略等幅としている。
また、ＦＰＤ２の場合、図４に示すように、Ｘ線検出面Ｘａに多数のＸ線検出素子２ａが横方向（Ｘ方向）と縦方向（Ｙ方向）にマトリックス配置されている。したがって、ＦＰＤ２のＹ方向のＸ線検出素子ライン数（行数）と同数の被検体Ｍのスライス面についてのＸ線検出データを一度のＸ線検出データ収集用走査で収集できる。
【００２９】
Ｘ線絞り１Ｂは、図３に示すように、ビーム短手方向ＲＸのビーム幅ＸＬを規定する２枚のＸ線非透過性リーフ１Ｂａ，１Ｂｂとビーム長手方向ＲＹのビーム幅ＹＬを規定する２枚のＸ線非透過性リーフ１Ｂｃ，１Ｂｄとから構成されている。
なお、実施例１の装置のＸ線絞り１Ｂの場合、コーン状Ｘ線ビームＸＡをビーム短手方向ＲＸのビーム幅ＸＬがＦＰＤ２のＸ線検出面Ｘａの幅ＸＤの１／２以下〜１／４以上の範囲で短くする構成とされているのに加え、Ｘ線非透過性リーフ１Ｂａ，１Ｂｂをビーム短手方向ＲＸと平行な向きに移動させてコーン状Ｘ線ビームＸＡのビーム幅ＸＬを調節したり、Ｘ線非透過性リーフ１Ｂｃ，１Ｂｄをビーム長手方向ＲＹと平行な向きに移動させてコーン状Ｘ線ビームＸＡのビーム幅ＹＬを調節したりできる構成とされている。
【００３０】
加えて、実施例１の装置は、ＦＰＤスライド制御部１５のコントロールに従ってＦＰＤ２をＸ線検出データ収集用走査と同期してコーン状Ｘ線ビームＸＡのビーム短手方向ＲＸに移動させるＦＰＤスライド機構部１６を備えている。つまり、実施例１の装置では、ＦＰＤスライド制御部１５とＦＰＤスライド機構部１６が、Ｘ線検出データ収集用走査と同期してＸ線検出面Ｘａに対しコーン状Ｘ線ビームＸＡをビーム短手方向ＲＸに相対的にスライドさせるＸ線ビーム同期スライド手段として配備されている。
【００３１】
さらに、これらＦＰＤスライド制御部１５とＦＰＤスライド機構部１６は、Ｘ線検出データ収集用走査に伴ってコーン状Ｘ線ビームＸＡをＸ線検出面Ｘａの一端縁から他端縁にわたってスライドさせる構成とされている。即ち、図５（ａ）に示すように、Ｘ線検出データ収集用走査の開始時点では、コーン状Ｘ線ビームＸＡの右端縁をＸ線検出面Ｘａの右端縁に位置させた状態とし、図５（ｂ）に示すように、Ｘ線検出データ収集用走査の終了時に始めて、コーン状Ｘ線ビームＸＡの左端縁をＸ線検出面Ｘａの左端縁に到達させるスライド態様でＦＰＤ２が動かされるのである。
【００３２】
なお、ＦＰＤ２のスライド態様は上記に限られるものではない。例えば一度のＸ線検出データ収集用走査の間にＦＰＤ２がビーム短手方向ＲＸに行来し、一度のＸ線検出データ収集用走査でコーン状Ｘ線ビームＸＡがＸ線検出面Ｘａの両端縁の間を往復するようなスライド態様であってもよい。
また、主制御部１４は、操作部１３による指令ないしデータの入力あるいはＸ線撮影の進行に応じて適時に適当な指令信号を各部に送出し、装置を正常に稼働させる司令塔の役割を担っている。
【００３３】
続いて、上述した構成を有する実施例１のＸ線撮影装置による１８０°の角度にわたるＸ線検出データ収集用走査を実行する時の状況に即して説明する。
Ｘ線検出データ収集用走査の開始時点では、図６（ａ）に示すように、Ｘ線照射部１とＦＰＤ２が水平に向き合っていると共に、図５（ａ）に示すように、コーン状Ｘ線ビームＸＡの右端縁がＸ線検出面Ｘａの右端縁に位置している。
【００３４】
Ｘ線検出データ収集用走査が開始された後は、図６（ｂ）に示すように、Ｘ線照射部１とＦＰＢ２が対向状態を維持したまま被検体Ｍの周りを回転してゆくと共に、ＦＰＢ２がＸ線検出データ収集用走査と同期してコーン状Ｘ線ビームＸＡのビーム短手方向ＲＸに動き続ける。また、Ｘ線検出データ収集用走査の進行に伴って、Ｘ線照射部１によるコーン状Ｘ線ビームＸＡの照射と、ＦＰＤ２から出力されるＸ線検出データの収集とが行なわれる。
【００３５】
そして、Ｘ線検出データ収集用走査の終了時点では、図６（ｃ）に示すように、Ｘ線照射部１とＦＰＤ２が走査開始時とは位置が反対になった状態で再び水平に向き合っていると共に、図５（ｂ）に示すように、コーン状Ｘ線ビームＸＡの左端縁がＸ線検出面Ｘａの左端縁に位置している。
【００３６】
以上に詳述したように実施例１の装置の場合、Ｘ線検出データ収集用走査の際のコーン状Ｘ線ビームＸＡの移動経路に沿った方向に対するコーン状Ｘ線ビームＸＡのビーム幅ＸＬをＦＰＤ２のＸ線検出面Ｘａの幅ＸＤよりも短くしてコーン状Ｘ線ビームＸＡにビーム短手方向ＲＸをもたせてあるのに加え、Ｘ線検出データ収集用走査と同期してＸ線検出面Ｘａに対しコーン状Ｘ線ビームＸＡがビーム短手方向ＲＸへ向けて相対的にスライドさせられる構成を備えていて、ＦＰＤ２のＸ線検出面ＸａにおけるＸ線ビームの検出エリアがＸ線検出データ収集用走査の進行に連れて刻々変化するので、ＦＰＤ２から読み出し切れずに生じるＸ線検出データの読み出し残分の蓄積が抑えられ、撮影対象の被検体Ｍを透過したコーン状Ｘ線ビームＸＡを検出する際にＦＰＤ２の出力応答速度が遅いことに起因してＦＰＤ２に生じる残像は従来よりも弱められる。
【００３７】
また、コーン状Ｘ線ビームＸＡのビーム幅はＸ線検出データ収集用走査に伴うコーン状Ｘ線ビームＸＡの移動経路に沿った方向に対してだけ短くすれば済むので、コーン状Ｘ線ビームＸＡの移動経路に沿わない方向に対しては短くする必要はなく、Ｘ線検出データ収集用走査による走査エリアが狭くなることもない。
よって、実施例１のＸ線撮影装置によれば、撮影対象の被検体Ｍを透過したコーン状Ｘ線ビームＸＡを検出する際のＦＰＤ２の出力応答速度が遅いのを、適切に補うことができる。
【００３８】
また、実施例１の装置では、ＦＰＤ２の方を移動させることによってＸ線検出面Ｘａに対しコーン状Ｘ線ビームＸＡをビーム短手方向ＲＸに相対的にスライドさせる構成であり、Ｘ線検出データ収集用走査中にＸ線照射光学系が同じ構成を保てるので、Ｘ線照射光学系の変動を伴わずにＸ線断層画像取得用のＸ線検出データを収集できる。
【００３９】
加えて、実施例１の装置の場合、コーン状Ｘ線ビームＸＡの移動経路に沿ったビーム短手方向ＲＸについてはコーン状Ｘ線ビームＸＡのビーム幅ＸＬがＦＰＤ２のＸ線検出面Ｘａの幅ＸＤの１／２以下〜１／４以上の範囲であると共に、Ｘ線検出データ収集用走査に伴ってコーン状Ｘ線ビームＸＡをＸ線検出面Ｘａの一端縁から他端縁にわたってスライドさせるので、Ｘ線検出データ収集用走査中にコーン状Ｘ線ビームＸＡが常時照射され続けるエリアが無く、その結果、Ｘ線検出面Ｘａの全域にわたってＸ線検出データの読み出し残分の蓄積を抑えられる。
なお、コーン状Ｘ線ビームＸＡのビーム幅ＸＬをＸ線検出面Ｘａの幅ＸＤの１／２以下とするのは、ビーム幅ＸＬがＸ線検出面Ｘａの幅ＸＤの１／２を超過すると、Ｘ線検出データ収集用走査中にコーン状Ｘ線ビームＸＡが常時照射されているエリアを完全に無くせないからである。コーン状Ｘ線ビームＸＡのビーム幅ＸＬをＸ線検出面Ｘａの幅ＸＤの１／４以上とするのは、ビーム幅ＸＬがＸ線検出面Ｘａの幅ＸＤの１／４未満だと、一度のＸ線検出データ収集用走査で多量のＸ線検出データが収集できるコーン状Ｘ線ビームＸＡのメリットが十分でなくなるからである。
【実施例２】
【００４０】
実施例２に係るＸ線撮影装置を説明する。図７は実施例２に係るＸ線撮影装置の全体構成を示すブロック図である。
実施例２のＸ線撮影装置は、絞りスライド制御部１７のコントロールに従ってＸ線絞り１ＢをＦＰＤ２をＸ線検出データ収集用走査と同期してコーン状Ｘ線ビームＸＡのビーム短手方向ＲＸに移動させる絞りスライド機構部１８を備えている。即ち、実施例２の装置は、絞りスライド制御部１７と絞りスライド機構部１８が、Ｘ線検出データ収集用走査と同期してＸ線検出面Ｘａに対しコーン状Ｘ線ビームＸＡをビーム短手方向ＲＸに相対的にスライドさせるＸ線ビーム同期スライド手段として配備されている以外は、実施例１の装置と実質的に同一であるので、実施例１の装置と相違する点のみを説明し、共通する点についての説明は省略する。
【００４１】
絞りスライド制御部１７と絞りスライド機構部１８は、やはりＸ線検出データ収集用走査に伴ってコーン状Ｘ線ビームＸＡをＸ線検出面Ｘａの一端縁から他端縁にわたってスライドさせる構成とされている。即ち、図８（ａ）に示すように、Ｘ線検出データ収集用走査の開始時点では、コーン状Ｘ線ビームＸＡの右端縁をＸ線検出面Ｘａの右端縁に位置させた状態とし、図８（ｂ）に示すように、Ｘ線検出データ収集用走査の終了時に始めて、コーン状Ｘ線ビームＸＡの左端縁をＸ線検出面Ｘａの左端縁に到達させるスライド態様でＸ線絞り１Ｂを動かす。
【００４２】
なお、Ｘ線絞り１Ｂのスライド態様は上記に限られるものではなく、例えば一度のＸ線検出データ収集用走査の間にＸ線絞り１Ｂがビーム短手方向ＲＸに行来し、一度のＸ線検出データ収集用走査でコーン状Ｘ線ビームＸＡがＸ線検出面Ｘａの両端縁の間を往復するようなスライド態様であってもよい。
また、実施例２の装置の場合、Ｘ線検出データ収集用走査の進行に伴ってＸ線絞り１Ｂが動く時は４枚のＸ線非透過性リーフ１Ｂａ〜１Ｂｄが一斉に移動すると共にＸ線非透過性リーフ１Ｂａ，１Ｂｂはコーン状Ｘ線ビームＸＡのビーム幅ＸＬが常に一定幅に維持されるように移動量が調節される構成とされている。しかし、Ｘ線非透過性リーフ１Ｂｃ，１Ｂｄの寸法が長ければ、Ｘ線検出データ収集用走査の進行に伴ってＸ線絞り１Ｂが動く時に２枚のＸ線非透過性リーフ１Ｂａ，１Ｂｂだけが移動し、残り２枚のＸ線非透過性リーフ１Ｂｃ，１Ｂｄは移動しない構成であってもよい。つまり、実施例２の装置の場合、絞りスライド機構部１８によるＸ線絞り１Ｂの移動態様として、Ｘ線非透過性リーフ１Ｂａ，１Ｂｂだけが移動する態様も挙げられるのである。
【００４３】
続いて、上述した構成を有する実施例２のＸ線撮影装置による１８０°の角度にわたるＸ線検出データ収集用走査の実行する時の状況に即して説明する。
Ｘ線検出データ収集用走査の開始時点では、図９（ａ）に示すように、Ｘ線照射部１とＦＰＤ２が水平に向き合っていると共に、図８（ａ）に示すように、コーン状Ｘ線ビームＸＡの右端縁がＸ線検出面Ｘａの右端縁に位置している。
【００４４】
Ｘ線検出データ収集用走査が開始された後は、図９（ｂ）に示すように、Ｘ線照射部１とＦＰＢ２が対向状態を維持したまま被検体Ｍの周りを回転してゆくのと同時平行的に、ＦＰＤ２からのＸ線検出データの読み出しが行なわれると共に、Ｘ線絞り１ＢがＸ線検出データ収集用走査と同期してコーン状Ｘ線ビームＸＡのビーム短手方向ＲＸに動き続ける。また、Ｘ線検出データ収集用走査の進行に伴って、Ｘ線照射部１によるコーン状Ｘ線ビームＸＡの照射と、ＦＰＤ２から出力されるＸ線検出データの収集とが行なわれる。
【００４５】
Ｘ線検出データ収集用走査中のＸ線絞り１Ｂの動きにより、実施例２の装置でも、ＦＰＤ２のＸ線検出面ＸａにおけるＸ線ビームの検出エリアがＸ線検出データ収集用走査の進行に連れて刻々変化するので、ＦＰＤ２から読み出し切れずに生じるＸ線検出データの読み出し残分の蓄積が抑えられ、撮影対象の被検体Ｍを透過したコーン状Ｘ線ビームＸＡを検出する際にＦＰＤ２の出力応答速度が遅いことに起因してＦＰＤ２に生じる残像がやはり弱められる。
【００４６】
そして、Ｘ線検出データ収集用走査の終了時点では、図９（ｃ）に示すように、Ｘ線照射部１とＦＰＤ２が走査開始時とは位置が反対になった状態で再び水平に向き合っていると共に、図８（ｂ）に示すように、コーン状Ｘ線ビームＸＡの左端縁がＸ線検出面Ｘａの左端縁に位置している。
【００４７】
以上に述べたように、実施例２の装置の場合、ＦＰＤ２より小型軽量のＸ線絞り１Ｂの方を移動させることによってＸ線検出面Ｘａに対しコーン状Ｘ線ビームＸＡをビーム短手方向ＲＸに相対的にスライドさせるので、Ｘ線検出面Ｘａに対するコーン状Ｘ線ビームＸＡの相対的なスライドが容易に行なえる。
【００４８】
この発明は、上記の実施例に限られるものではなく、以下のように変形実施することも可能である。
（１）実施例１，２の装置の場合、ＦＰＤ２またはＸ線絞り１Ｂのどちらか一方を移動させることによってＸ線検出面Ｘａに対しコーン状Ｘ線ビームＸＡをビーム短手方向ＲＸに相対的にスライドさせる構成であったが、ＦＰＤ２とＸ線絞り１Ｂの両方を移動させることによってＸ線検出面Ｘａに対しコーン状Ｘ線ビームＸＡをビーム短手方向ＲＸに相対的にスライドさせる他は実施例と同一の構成である装置を、変形例として挙げることができる。
【００４９】
（２）実施例１，２の装置は、Ｘ線検出データ収集用走査が行なわれるのに伴ってＸ線照射部１とＦＰＤ２を対向配置状態のままで被検体を間にして被検体Ｍの周りを１８０°以上の角度にわたって巡る周回型軌道に沿って移動させられる構成であったが、この発明は、Ｘ線検出データ収集用走査の際にＸ線照射部１とＦＰＤ２がそれぞれ被検体Ｍの一側と他側に設定されている非周回型軌道に沿って移動（例えば、逆方向に平行移動）しながらコーン状Ｘ線ビームＸＡの照射とＸ線断層画像取得用のＸ線検出データの出力を行い、ＦＰＤの後段でＸ線検出データを画素毎に積分処理、あるいは、再構成用アルゴリズムに従って再構成処理することによりＸ線断層画像を取得する装置に適用することもできる。
【００５０】
（３）実施例１，２の装置は、被検体Ｍを透過したコーン状Ｘ線ビームをＦＰＤにより検出する構成であったが、この発明はＦＰＤ以外の２次元Ｘ線検出器により被検体Ｍを透過したコーン状Ｘ線ビームを検出する装置にも適用することができる。
【００５１】
（４）実施例１，２の装置は、Ｘ線絞り１Ｂが、Ｘ線検出データ収集用走査の際のコーン状Ｘ線ビームＸＡの移動経路に沿った方向に対するコーン状Ｘ線ビームＸＡのビーム幅ＸＬをＦＰＤ２のＸ線検出面Ｘａの幅ＸＤよりも短くしてコーン状Ｘ線ビームＸＡにビーム短手方向ＲＸをもたせるＸ線ビーム幅制限手段を兼用している構成であったが、このＸ線ビーム幅制限手段はＸ線絞り１Ｂと別に付設配備した構成であってもよい。
【００５２】
（５）実施例１，２の装置は、医用のＸ線撮影装置であったが、この発明は、工業用あるいは原子力用のＸ線撮影装置にも適用することができる。
【図面の簡単な説明】
【００５３】
【図１】実施例１のＸ線撮影装置の全体構成を示すブロック図である。
【図２】実施例１の装置におけるコーン状Ｘ線ビームの照射状態を示す斜視図である。
【図３】実施例１の装置におけるコーン状Ｘ線ビームの照射状態を示す模式的平面図である。
【図４】実施例１の装置のＦＰＤのＸ線検出面でのＸ線検出素子の配置を示す平面図である。
【図５】実施例１の装置におけるＸ線検出データ収集用走査の開始時および終了時のコーン状Ｘ線ビームとＸ線検出面の位置関係を示す模式的平面図である。
【図６】実施例１の装置におけるＸ線検出データ収集用走査時のＸ線照射部およびＦＰＤの移動状況を示す模式図である。
【図７】実施例２のＸ線撮影装置の全体構成を示すブロック図である。
【図８】実施例２の装置におけるＸ線検出データ収集用走査の開始時および終了時のコーン状Ｘ線ビームとＸ線検出面の位置関係を示す模式的平面図である。
【図９】実施例２の装置におけるＸ線検出データ収集用走査時のＸ線照射部およびＦＰＤとＸ線絞りの移動状況を示す模式図である。
【図１０】従来のＸ線撮影装置におけるＸ線検出データ収集用走査時のＸ線照射部およびＦＰＤの移動状況を示す模式図である。
【符号の説明】
【００５４】
１          …  Ｘ線照射部（Ｘ線照射手段）
１Ａ        …  Ｘ線管（Ｘ線照射手段の一部）
１Ｂ        …  Ｘ線絞り（Ｘ線照射手段の一部かつＸ線ビーム幅制限手段）
２          …  ＦＰＤ（２次元Ｘ線検出手段）
４          …  リング回動機構部（Ｘ線撮像系走査手段の一部）
５          …  撮像系走査制御部（Ｘ線撮像系走査手段の一部）
１５        …  ＦＰＤスライド制御部（Ｘ線ビーム同期スライド手段の一部）
１６        …  ＦＰＤスライド機構部（Ｘ線ビーム同期スライド手段の一部）
１７        …  絞りスライド制御部（Ｘ線ビーム同期スライド手段の一部）
１８        …  絞りスライド機構部（Ｘ線ビーム同期スライド手段の一部）
Ｍ          …  被検体
ＸＡ        …  コーン状Ｘ線ビーム
Ｘａ        …  Ｘ線検出面
ＸＤ        …  Ｘ線検出面の幅
ＸＬ        …  （コーン状Ｘ線ビームのビーム短手方向の）ビーム幅
ＲＸ        …  （コーン状Ｘ線ビームの）ビーム短手方向
【図１】
2006212173.tif 000003
【図２】
2006212173.tif 000004
【図３】
2006212173.tif 000005
【図４】
2006212173.tif 000006
【図５】
2006212173.tif 000007
【図６】
2006212173.tif 000008
【図７】
2006212173.tif 000009
【図８】
2006212173.tif 000010
【図９】
2006212173.tif 000011
【図１０】
2006212173.tif 000012